(57)【要約】【課題】本発明は、携帯端末装置の薄型化を可能とするとともに、操作部材のデザイン性や操作性を向上させた携帯端末装置を提供することを目的とする。【解決手段】携帯端末装置は、筐体と、筐体を構成し第１開口部を有するケース部材と、筐体内に配置される可撓性のシート部材と、ケース部材とシート部材の間に配置され第２開口部を有する金属性の補強部材と、シート部材における一方の面に配置されるとともに、第１開口部及び第２開口部を介して外部に露出するよう配置され、導電性を有して構成される操作部材と、シート部材における操作部材が配置された側とは反対である他方の面に対向して配置され操作部材に対応する位置に配置されるスイッチ部材と、筐体内に配置される基準電位部材と、を備える。シート部材における一方の面には、導電性部材が操作部材に対向する位置と補強部材に対向する位置とに跨って配置されることを特徴とする。【選択図】図８
2008182532.tif 000002
【特許請求の範囲】
【請求項１】
筐体と、
前記筐体を構成し第１開口部を有するケース部材と、
前記筐体内に配置される可撓性のシート部材と、
前記ケース部材と前記シート部材の間に配置され第２開口部を有する金属性の補強部材と、
前記シート部材における一方の面に配置されるとともに、前記第１開口部及び前記第２開口部を介して外部に露出するよう配置されて、導電性を有して構成される操作部材と、
前記シート部材における前記操作部材が配置された側とは反対である他方の面に対向して配置され前記操作部材に対応する位置に配置されるスイッチ部材と、
前記筐体内に配置される基準電位部材と、を備え、
前記補強部材は、前記基準電位部材に電気的に導通されており、
前記シート部材における前記一方の面には、導電性部材が前記操作部材に対向する位置と前記補強部材に対向する位置とに跨って配置されることを特徴とする携帯端末装置。
【請求項２】
前記導電性部材は、前記シート部材の前記一方の面に導電性塗料を塗装又は印刷することにより形成されることを特徴とする請求項１に記載の携帯端末装置。
【請求項３】
前記導電性部材は、前記スイッチ部材に対応した位置を含むように配置されることを特徴とする請求項１又は２に記載の携帯端末装置。
【請求項４】
前記シート部材は、前記他方の面において、前記スイッチ部材と対向する位置に突起部が形成されることを特徴とする請求項３に記載の携帯端末装置。
【請求項５】
前記シート部材は、前記他方の面において、前記補強部材に対向して前記導電性部材が配置される位置に対応した位置に凸状に形成される突出部が形成される請求項１から４のいずれかに記載の携帯端末装置。
【発明の詳細な説明】
【技術分野】
【０００１】
本発明は、携帯電話機や簡易型携帯電話機（ＰＨＳ（登録商標））等の移動通信機、或いはＰＤＡ（Ｐｅｒｓｏｎａｌ  Ｄｉｇｉｔａｌ  Ａｓｓｉｓｔａｎｔｓ）といった携帯端末装置に関する。
【背景技術】
【０００２】
従来より、携帯電話機、簡易型携帯電話機（ＰＨＳ（登録商標））、及びＰＤＡ（Ｐｅｒｓｏｎａｌ  Ｄｉｇｉｔａｌ  Ａｓｓｉｓｔａｎｔｓ）といった携帯端末装置は、入力部として操作部材を備えたものがある。そして、このような操作部材は、通常、樹脂等の絶縁材料によって形成され、シート部材における一方の面側に配置されるとともに、携帯端末装置の筐体に形成された開口部から露出されることにより構成されている。また、携帯端末装置の筐体の内部には、操作部材の押下によって動作されるスイッチ部材が配設されており、操作者が操作部材を押下することによってスイッチ部が動作するようになっている（例えば、特許文献１参照）。
【０００３】
また、近年、このような操作部材を備える携帯端末装置には、入力操作部材の大きさを大きくするために、それぞれの入力操作部材同士の間に樹脂製のフレーム枠を配置することなく、入力操作部材同士を直接隣接させて配置する、いわゆるフレームレスキー構造が採用されるものがある。しかし、このようなフレームレスキー構造を採用する携帯端末装置は、シート部材に対する筐体による支持力が弱く、シート部材自体の強度も弱いため、外力が加わった場合に操作部材や入力操作部材等が浮いたり、所定の配置位置からずれ易くなる場合があった。
【０００４】
これに対しては、強度が高い樹脂製の補強部材をシート部材と一体的に配置し、これらに上述の操作部材等を配置することにより、例えば、操作部材等に外力が加わった場合においても操作部材等が浮いてくることを防止することができる。
【特許文献１】特開２００３−２８３１７６号公報
【発明の開示】
【発明が解決しようとする課題】
【０００５】
ここで、近年、携帯端末装置のデザイン性や質感を向上させるために操作部材等にメッキ処理や金属蒸着等の処理を施したものが使用されるようになってきている。これにより、操作部材等に静電対策を施さなければ、操作部材等に静電気が帯電してしまい、携帯端末装置の誤動作を引き起こす場合があった。
【０００６】
これらに対しては、補強部材を導電性材料により形成するとともに回路基板に形成される基準電位パターン層と接続させるとともに、補強部材と操作部材等とを直接当接させることにより、補強部材を介して操作部材等と基準電位パターン層とを電気的に導通させることができる。しかし、この場合においては、押下操作時に操作部材が補強部材に当たることより操作部材の操作感が損なわれる場合がある。
【０００７】
本発明は、操作部材のデザイン性を向上させるとともに操作性を損なうことなく静電気への対応がなされた携帯端末装置を提供することを目的とする。
【課題を解決するための手段】
【０００８】
本発明の携帯端末装置は、筐体と、前記筐体を構成し第１開口部を有するケース部材と、前記筐体内に配置される可撓性のシート部材と、前記ケース部材と前記シート部材の間に配置され第２開口部を有する金属性の補強部材と、前記シート部材における一方の面に配置されるとともに、前記第１開口部及び前記第２開口部を介して外部に露出するよう配置されて、導電性を有して構成される操作部材と、前記シート部材における前記操作部材が配置された側とは反対である他方の面に対向して配置され前記操作部材に対応する位置に配置されるスイッチ部材と、前記筐体内に配置される基準電位部材と、を備え、前記補強部材は、前記基準電位部材に電気的に導通されており、前記シート部材における前記一方の面には、導電性部材が前記操作部材に対向する位置と前記補強部材に対向する位置とに跨って配置されることを特徴とする。
【０００９】
また、前記導電性部材は、前記シート部材の前記一方の面に導電性塗料を塗装又は印刷することにより形成されることが好ましい。
【００１０】
また、前記導電性部材は、前記スイッチ部材に対応した位置を含むように配置されることが好ましい。
【００１１】
また、前記シート部材は、前記他方の面において、前記スイッチ部材と対向する位置に突起部が形成されることが好ましい。
【００１２】
また、前記シート部材は、前記他方の面において、前記補強部材に対向して前記導電性部材が配置される位置に対応した位置に凸状に形成される突出部が形成されることが好ましい。
【発明の効果】
【００１３】
本発明によれば、操作部材のデザイン性を向上させるとともに操作性を損なうことなく静電気への対応がなされた携帯端末装置を提供することができる。
【発明を実施するための最良の形態】
【００１４】
以下、図面を参照して本発明を実施するための最良の形態を説明する。なお、以下、携帯端末装置として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１５】
図１から図１２を用いて、本発明にかかる第１実施形態について説明する。
まず、図１から図３により、携帯端末装置としての携帯電話機１における基本構造を説明する。図１は、携帯端末装置としての携帯電話機１を開いた状態（第１開状態）における正面図を示す。図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００１６】
図１に示すように、本実施形態に係る携帯電話機１は、操作部側筐体２と、表示部側筐体３とを備える。操作部側筐体２と表示部側筐体３とは、２軸ヒンジ機構を備える連結部４を介して連結されている。これにより、携帯電話機１は、開状態及び閉状態に折り畳み自在に変形可能となると共に、開状態及び閉状態のそれぞれにおいて表示部側筐体３を表状態及び裏状態のそれぞれに切り替えることができる。
【００１７】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２における表面２Ａに配置される操作キー群１１とが同じ側を向くように配置された状態（図１参照）であり、裏状態とは、表示部側筐体３におけるディスプレイ３０と操作部側筐体２における操作キー群１１とが反対側を向くように配置された状態（図６
参照）をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００１８】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力されるマイクとしての音声入力部１２とがそれぞれ露出するように構成される。ここで、操作キー群１１としては、各種設定や電話帳機能やメール機能等の各種機能を作動させるための機能設定操作キー１３、電話番号の数字やメール等の文字等を入力するためのテンキーなどの入力操作キー１４aからなる入力操作キー群１４、各種操作における決定や上下左右方向のスクロール等を行う操作部材としての決定操作キー１５等を例示することができ、本実施形態に係る操作キー群１１は、機能設定操作キー１３、入力操作キー群１４及び決定操作キー１５により構成されている。また、音声入力部１２は、操作部側筐体２の長手方向における連結部４側とは反対の外端部側に配置される。つまり、音声入力部１２は、携帯電話機１が開状態において一方の外端部側に配置される。
【００１９】
操作キー群１１を構成する各キーそれぞれには、操作部側筐体２と表示部側筐体３との開閉状態や表裏状態等の変形状態、或いは起動されているアプリケーション等の種類に応じて所定の機能が割り当てられている（キー・アサイン）。そして、使用者が各キーを押圧することにより、各キーに割り当てられている機能に応じた動作が実行される。
【００２０】
図２（Ａ）に示すように、操作部側筐体２における一方の側面には、外部機器（例えば、ホスト装置）とデータの送受信を行うためのインターフェース１６と、ヘッドホン／マイク端子１７と、着脱可能な外部メモリのインターフェース１８と、バッテリーを充電するための充電端子１９とが設けられている。なお、インターフェース１６、ヘッドホン端子／マイク端子１７及びインターフェース１８は、不使用時において着脱可能な防塵対策用のキャップで覆われている。
【００２１】
また、図２（Ｂ）に示すように、操作部側筐体２における他方の側面には、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられている（キー・アサイン）。ここで、上述と同様に、使用者がサイドキー２０を押圧することにより、携帯電話機１におけるサイドキー２０に割り当てられている機能に応じた動作が実行される。
【００２２】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側の内端部側に配置される。また、操作部側筐体２におけるリアケース２ｂには、バッテリー収容部９２にバッテリー９０を装着するための開口９２ａが形成されると共に、該開口９２ａを塞ぐようにバッテリーリッド２５が配置される。
【００２３】
また、操作部側筐体２の上端部と表示部側筐体３の下端部とは、図１から図３に示すように、２軸ヒンジ機構を備える連結部４を介して連結されている。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態、起動されているアプリケーション等の種類に応じて所定の機能が割り当てられている（キー・アサイン）。そして、使用者により、操作部材１１を構成する各キーが押圧されることで、各キーに割り当てられている機能に応じた動作が実行される。
【００２４】
表示部側筐体３は、外面がフロントケース３ａとリアケース３ｂにより構成される。表示部側筐体３におけるフロントケース３ａには、各種情報を表示するための所定形状のディスプレイ３０と、通話の相手側における音声を出力するレシーバーとしての音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００２５】
また、表示部側筐体３のリアケース３ｂには、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２６】
次いで、図４から図６により、連結部４の構造及び携帯電話機１における変形状態について説明する。図４は、携帯電話機１を開いた状態（第１開状態）における斜視図を示す。図５は、図４に示される状態から携帯電話機１の表示部側筐体３を、連結部４の回動軸Ｙを中心にして所定角度回動した状態の斜視図を示す。図６は、図４に示される状態から携帯電話機１の表示部側筐体３を、連結部４の回動軸Ｙを中心にして１８０°回動した状態（ターン状態、第２開状態）の斜視図を示す。
【００２７】
図４に示すように、連結部４は、操作部側筐体２と表示部側筐体３とを、開閉軸Ｘを中心にして任意の角度で開閉自在に連結すると共に、回動軸Ｙを中心に任意の角度で回動自在に連結する２軸ヒンジ機構を備える。
【００２８】
連結部４は、一方端４ａ側において図示しない開閉連結部材により操作部側筐体２の上端部と連結されており、他方端４ｂ側において図示しない回動連結部材により表示部側筐体３の下端部と連結されている。
【００２９】
連結部４の一方端４ａには、該連結部４における表面から垂直に突出するように形成される凸形状の開閉部４ｃが形成される。そして、操作部側筐体２の上端部には、この凸形状の開閉部４ｃが挿嵌される凹形状の切り欠き部５が形成される。
【００３０】
この開閉部４ｃの開閉軸Ｘ方向における両側それぞれには、図示しない孔部Ａが形成される。また、操作部側筐体２の切り欠き部５における両内側面には、図示しない孔部Ｂが形成される。そして、凸形状の開閉部４ｃが、凹形状の切り欠き部５に挿嵌された状態において、孔部Ａと孔部Ｂとは互いに近接して対向するよう配置されると共に、孔部Ａと孔部Ｂとの双方に円筒状の開閉連結部材が挿通される。これにより、操作部側筐体２と表示部側筐体３とは、開閉可能に連結される。なお、開閉部４ｃは、操作部側筐体２の上端部に挿嵌される形状であれば良く、特に凸形状に限られず、また、操作部側筐体２の上端部の形状も凹形状に限られない。
【００３１】
また、連結部４の他方端４ｂ側と表示部側筐体３の下端部とは、図示しない回動連結部材により回動自在に連結される。連結部４における表示部側筐体３側の側面には、図示しない孔部Ｃが形成される。また、表示部側筐体３における連結部４側の側面には、図示しない孔部Ｄが形成される。そして、孔部Ｃと孔部Ｄとの双方に回動連結部材が挿通されることで、操作部側筐体２と表示部側筐体３とが回動軸Ｙを中心に回動可能に連結される。つまり、操作部側筐体２と表示部側筐体３とは、表示部側筐体３の表裏状態を切り替え可能に連結される。
【００３２】
上述したように、携帯電話機１は、操作部側筐体２と表示部側筐体３とが連結部４により開閉及び回動可能に連結される。これにより、操作部側筐体２と表示部側筐体３とを、開閉軸Ｘを中心にして開閉させたり、回動軸Ｙを中心にして回動をさせたりすることで携帯電話機１を様々な状態に変形させることができる。
【００３３】
例えば、操作部側筐体２と表示部側筐体３とが互いに重なる状態である閉状態（以下、第１閉状態という。）の携帯電話機１を、操作部側筐体２及び表示部側筐体３それぞれにおける開閉軸Ｘと反対側の端部が、互いに離間するよう開閉軸Ｘを中心にして開くように変形させることで、図１から図３に示す操作部側筐体２と表示部側筐体３とが互いに重ならない状態（以下、第１開状態という。）にすることができる。
【００３４】
逆に、図１から図３に示す第１開状態の携帯電話機１を、操作部側筐体２及び表示部側筐体３それぞれの開閉軸Ｘと反対側の端部が、互いに近づくよう開閉軸Ｘを中心にして閉じるように変形させることで、閉状態（以下、第１閉状態という。）にすることができる。
【００３５】
また、図１から図３に示す第１開状態において、例えば、図５に示すように、表示部側筐体３を、回動軸Ｙを中心に回動させることができる。更には、表示部側筐体３を図５の状態から更に回動軸Ｙを中心に回転させることで、表示部側筐体３における表裏状態を切り替えることができる。具体的には、図１から図３に示す表示部側筐体３における表面３Ａに配置されるディスプレイ３０と、操作部側筐体２における表面２Ａに配置される操作部材１１とが同じ側を向く第１開状態から、表示部側筐体３が回動軸Ｙを中心に１８０度回転されることで、図６に示されるように、表示部側筐体３における表面３Ａに配置されるディスプレイ３０と、操作部側筐体２における表面２Ａに配置される操作部材１１とが反対側を向く開状態（以下、第２開状態という。）にすることができる。
【００３６】
そして、図６に示す第２開状態における表示部側筐体３を開閉軸Ｘを中心にして閉じるよう変形させることで、携帯電話機１を閉状態（以下、第２閉状態という。）にすることができる。つまり、携帯電話機１は、表示部側筐体３におけるディスプレイ３０が、操作部側筐体２における操作部材１１に対向するよう配置された第１閉状態から、表示部側筐体を回動させることにより、表示部側筐体３におけるディスプレイ３０が、操作部側筐体２に対向せずに表出した状態の第２閉状態（ターンクローズ状態）に変形させることができる。
【００３７】
続いて、図７から図１２により、操作部側筐体２の内部構造について説明する。図７は、操作部側筐体２の分解斜視図を示す。図８は、操作部側筐体２におけるキーシート４０の分解斜視図を示す。図９は、シート４１を裏面側から見た斜視図を示す。図１０は、キーシート４０の平面図を示す。図１１は、図１０に示すキーシート４０のＺ−Ｚ断面図を示す。図１２は、第２延出部８５の第２延下部８５ａに対応した位置での筐体幅方向における要部拡大断面図を示す。
【００３８】
図７に示すように、操作部側筐体２は、フロントケース２ａと、キーシート４０と、基準電位部材を構成し、基準電位パターン層及び携帯電話機用のＲＦ（Ｒａｄｉｏ  Ｆｒｅｑｕｅｎｃｙ）モジュール等の各種電子部品を備える回路基板７０と、同じく基準電位部材を構成するシールドケース６０と、キースイッチ５１、５２、５３が配置されるスイッチ部材であるフレキシブルプリント配線基板５０と、アンテナ部９０と、リアケース２ｂと、を備える。また、バッテリー９０は、リアケース２ｂの外側から装脱可能に収容され、収納後は、開口９２ａを塞ぐようにバッテリーリッド２５を配置する。
【００３９】
フロントケース２ａとリアケース２ｂとは、互いの凹状の内側面が向き合うように配置されており、互いの外周縁が重なり合うようにして結合される。また、フロントケース２ａとリアケース２ｂとの間には、キーシート４０と、フレキシブルプリント配線基板５０と、シールドケース６０と、回路基板７０と、アンテナ部９０とが、フロントケース２ａ側から前記順番において収納配置される。
【００４０】
フロントケース２ａには、携帯電話機１を折り畳んだ状態（閉状態）で表示部側筐体３と対向する表面２Ａに、複数のキー孔（第１開口部）２６が形成される。このキー孔２６それぞれからは、キーシート４０上に配置される操作キー群１１である機能設定操作キー１３、入力操作キー群１４及び決定操作キー１５の押圧面が露出する。なお、携帯電話機１は、フレームレスキー構造を採用するため、入力操作キー１４が露出するキー孔２６には、入力操作キー１４ａを仕切る枠を有しておらず、入力操作キー群１４の全体を囲むキー孔２６として形成される。
【００４１】
キーシート４０は、図８に示すように、操作部材としての操作キー群１１と、シート部材であるシリコンゴム製のシート４１と、補強部材である金属性の補強フレーム８０と、を備える。ここでは、補強フレーム８０は、板金部材によって構成されている。
【００４２】
操作キー群１１は、一対の機能設定操作キー１３、テンキーを構成する入力操作キー群１４、決定操作キー１５により構成され、機能設定操作キー１３、入力操作キー群１４及び決定操作キー１５のそれぞれは、樹脂やプラスチック等の絶縁材料により形成される。機能設定操作キー１３は、略縦長に形成されており、各機能ごとに設けられる。入力操作キー群１４は、複数の入力操作キー１４ａからなり、各入力操作キー１４ａは、樹脂製の入力操作キー群１４をそれぞれに割り当てられている機能ごとに仕切られることにより形成されると共に、仕切られた入力操作キー１４ａは略矩形状に形成されている。決定操作キー１５は、略円形状に形成されると共に、操作キー１５ａと決定キー１５ｂとにより構成されており、操作キー１５ａは絶縁材料により成型された後、表面の全域に金属蒸着による加工やメッキ処理が施される。
【００４３】
なお、操作キー１５ａは、金属蒸着加工やメッキ処理が施される構成に限定されることなく、その他の加工や処理が施されたり、アルミなどの導電性材により成形されるなどして、導電性を有して構成されればよい。
【００４４】
キーシート４０における操作キー群１１を構成する機能設定操作キー１３、入力操作キー１４ａ及び決定操作キー１５は、フレキシブルプリント配線基板５０におけるスイッチ部材としてのキースイッチ５１、５２、５３と対応する位置に配置されると共に、後述するフロントケース２ａに形成されるキー孔２６から露出するように配置される。
【００４５】
入力操作キー群１４は、補強フレーム８０がシート４１のフロントケース２ａに対向する側の一方の面である第１の面４２における所定の位置に載置された後、シート１４の該第１の面４２にキースイッチ５２に対向する位置に突出して形成される第１嵌装部４３に配置されると共に、第１嵌装部４３の頂面に熱圧着等により貼設される。このように構成することにより、入力操作キー群１４の各キー同士が隣接して配置され、隣り合うキー同士の間にフロントケース２ａからなる枠を有さないフレームレスキー構造を採用することが可能となる。同様に、機能設定操作キー１３は、第１嵌装部４３同様にキースイッチ５１に対応する位置に突出し形成された第２嵌装部４４の所定の位置に配置され、第２嵌装部４４の頂面に熱圧着等により貼設される。また、決定操作キー１５は、キースイッチ５３に対応した位置でシート４１の第１の面４２に接着剤により接着される。
【００４６】
なお、接着剤を用いて接着させた場合においては、接着剤が非導電性材料であることより、操作キー１５ａをシート４１に貼り付ける場合、後述の導電性部材４８が設けられていない場所において貼り付ける必要がある。導電性部材４８の上に接着剤を設けた場合、電気的な導通がなされない場合が生じるためである。
【００４７】
シート４１は、フロントケース２ａに対向する側の第１の面４２とリアケース２ｂに対向する側の他方の面である第２の面４５とを備えており、第１の面４２に操作キー群１１における各キーそれぞれが配置される。そして、第１の面４２には、入力操作キー１４ａのそれぞれが嵌装される第１嵌装部４３と、機能設定操作キー１３が嵌装される一対の第２嵌装部４４とが設けられる。
【００４８】
第１嵌装部４３は、第１の面４２において、操作キー群１１が配置される方向に突出すると共に、その上面は、略平面状に形成される。第１嵌装部４３の形状は、入力操作キー１４ａと略相似形であり、入力操作キー１４ａを嵌装可能な大きさに形成されている。また、図９に示すように、第２の面４５の第１嵌装部４３に対応した位置には、第１の面４２側に窪む凹状に形成される第１凹状部４３ａと、第１凹状部４３ａの略中央部に形成された略円柱状の押子４６ａとが設けられる。
【００４９】
第１嵌装部４３における押子４６ａは、フレキシブルプリント配線基板５０が配置される側に突出するように凸状に形成されており、キースイッチ５２と当接するように配置される。具体的には、操作部側筐体２が組み立てられた状態において、押子４６ａは、キースイッチ５２を構成する金属板のメタルドームの頂部に当接するように配置される。
【００５０】
ここで、メタルドームは、椀状に湾曲して立体的に形成されており、その椀状形状の頂点が押圧されると、フレキシブルプリント配線基板５０の表面に印刷された不図示の電気回路に形成されるスイッチ端子に接触して電気的に導通するように構成されており、フロントケース２ａに形成されるキー孔２６から露出した入力操作キー１４ａの押圧面を押し下げるように押圧することで、押子４６ａが押し下げられることにより対応するキースイッチ５２それぞれにおけるメタルドーム（椀状形状）の頂点が押圧され、スイッチ端子に接触して電気的に導通する。
【００５１】
また、第２の面４５における各第１凹状部４３ａの間には、フレキシブルプリント配線基板５０の配置される方向に突出する突出部であるリブ４７ａが設けられている。リブ４７ａは、フレキシブルプリント配線基板５０に当接可能に設けられており、フレキシブルプリント配線基板５０と当接することにより、キーシート４０をフロントケース２ａ側に持ち上げた状態で支持して、入力操作キー１４の表面とフロントケース２ａの表面２Ａとが略同一平面となるようにしているとともに、入力操作キー１４ａの誤動作を防止する。
【００５２】
第２嵌装部４４は、第１の面４２において、操作キー群１１が配置される方向に突出すると共に、その上面は、略平面状に形成される。第２嵌装部４４は、シート４１における幅方向の両側に設けられており、その形状は機能設定操作キー１３と略相似形であるとともに、機能設定操作キー１３を嵌装可能な大きさに形成されている。また、図９に示すように、第２の面４５の第２嵌装部４４に対応した位置には、第１の面４２側に窪む凹状に形成される第２凹状部４４ａと、第２凹状部４４ａの略中央部に形成された略円柱状の押子４６ｂが設けられる。
【００５３】
第２嵌装部４４における押子４６ｂは、フレキシブルプリント配線基板５０が配置される側に突出するように凸状に形成されており、キースイッチ５１と当接するように配置される。具体的には、操作部側筐体２が組み立てられた状態において、押子４６ｂは、キースイッチ５１を構成する金属板のメタルドームの頂部に当接するように配置される。
【００５４】
また、第２の面４５における互いに隣接する第２凹状部４４ａ同士の間には、フレキシブルプリント配線基板５０の配置される方向に突出する突出部であるリブ４７ｂが設けられている。リブ４７ｂは、フレキシブルプリント配線基板５０に当接可能に設けられている。そして、リブ４７ｂは、フレキシブルプリント配線基板５０と当接してリブ４７ａと同様にキーシート４０を支持するとともに、機能設定操作キー１３の誤動作を防止する。
【００５５】
シート４１の第１の面４２には、決定操作キー１５ａに対向する位置と、補強フレーム８０に対向する位置のそれぞれに跨って配置される一対の導電性部材４８が設けられる。決定操作キー１５及び補強フレーム８０は、導電性部材４８にそれぞれ対向して当接可能に配置される。
【００５６】
ここで、シート４１の第２の面４５には、操作キー１５ａが配置される位置と対応する位置であって、シート４１の長手方向に該当する決定操作キー１５の上下方向、及びシート４１の幅方向に該当する決定操作キー１５の左右方向のそれぞれの位置に押子４６ｃが設けられている。同様に、決定キー１５ｂが配置される位置と対向する位置にも押子４６ｃが設けられている。
【００５７】
押子４６ｃの近傍には、フレキシブルプリント配線基板５０の配置される方向に突出する突出部であるリブ４７ｃが設けられている。具体的には、シート４１の長手方向に該当する決定操作キー１５の上下方向に設けられる押子４６ｃに対しては、押子４６ａの上下方向に設けられ、シート４１の幅方向に該当する決定操作キー１５の左右方向に設けられる押子４６ｃに対しては、押子４６ａの左右方向に設けられる。
【００５８】
また、シート４１の幅方向に該当する決定操作キー１５の左右方向に設けられる押子４６ｃ及びリブ４７ｃは、前述の第１の面４２に配設された導電性部材４８と対応する位置に設けられる。言い換えると、導電性部材４８は、第１の面４２において、決定操作キー１５の左右方向に設けられる押子４６ｃ及びリブ４７ｃに対応した位置に跨って配設される。このように、導電性部材４８を押子４６ｃ及びリブ４７ｃと対応する位置に配置することにより、シート４１を携帯電話機１に組み込んだ場合、押子４６ｃとリブ４７ｃとがフレキシブルプリント配線基板５０に当接してキーシート４０をフロント２ａ側に支持することによりシート４１にフロントケース２ａ側の応力が生じて、第１の面４２上の導電性部材４８を補強フレーム８０側及び操作キー１５ａ側に押すと共に、常にリブ４７を介して導電性部材４８に所定の補強フレーム８０側及び操作キー１５側への所定の圧力がかかることとなる。つまり、補強フレーム８０及び操作キー１５ａと、導電性部材４８との接触を確実にすることができる。また、リブ４７は、操作キー１５ａの誤動作も防止する。
【００５９】
さらに、導電性部材４８は、第１の面４２においてフレキシブルプリント配線基板５０のキースイッチ５３又はキースイッチ５３に対向して配設される押子４６ｃに対応した位置を含むように配置されている。これにより、例えば、携帯電話機１の組み込み時に操作キー１５ａと導電性部材４８とが非接触であった場合においても、操作キー１５ａの押下操作時に操作キー１５ａの押圧面を押圧し、押子４６ｃが押し下げられると、操作キー１５ａと導電性部材４８とが接触して電気的に導通可能となる。
【００６０】
補強フレーム８０は、板状に形成されており、第１嵌装部４３が挿通可能な第１挿通孔８１と、第２嵌装部４４が挿通可能な第２挿通孔８２と、決定操作キー１５が貫通可能な大きさの第２開口部である貫通孔８３とが設けられている。第１挿通孔８１は、入力操作キー１４と略相似の形状に形成されており、入力操作キー１４の外周よりも小さく形成されている。同様に、第２挿通孔８２は、機能設定操作キー１３と略相似の形状に形成されており、機能設定操作キー１３の外周よりも小さく形成されている。
【００６１】
貫通孔８３は、決定操作キー１５と略相似の形状を有しており、決定操作キー１５の外形よりも大きく形成されている。つまり、決定操作キー１５と補強フレーム８０とは、キーシート４０に組み込まれた場合に非接触状態となる。また、補強フレーム８０は、第１挿通孔８１に第１嵌装部４３を挿通させ、第２挿通孔８２に第２嵌装部４４を挿通させることにより、シート４１の第１の面４２に載置した場合、第１嵌装部４３及び第２嵌装部４４が補強フレーム８０から突出可能な厚さに形成されている。
【００６２】
図８及び図１０に示すように、補強フレーム８０には、シールドケース６０と接続可能な略Ｌ字形に形成された第１延出部８４と第２延出部８５とが設けられている。第１延出部８４は、貫通孔８３の近傍であって、補強フレーム８０の縁端部に設けられている。第２延出部８５は、入力操作キー群１４の側方であって、補強フレーム８０の側縁部に設けられている。
【００６３】
第１延出部８４は、シールドケース６０側に折り曲げられることにより形成される第１延下部８４ａ、８４ａと、シールドケース６０の平坦部と略平行に延びる第１当接部８４ｂとを備える。また、第１延出部８４は、中央部が開口しており、第１当接部８４ｂが第１延下部８４ａ、８４ａによりいわゆる両端支持されるような形状になっている。このように形成することにより、キーシート４０とシールドケース６０とを組み合わせた場合に、シールドケース６０と第１当接部８４ｂとが当接するとともに、第１当接部８４ｂからの反力により第１延下部８４ａがシールドケース６０側に向かう弾性力を発生させる。これにより、補強フレーム８０とシールドケース６０とがより確実に電気的導通が可能となる。
【００６４】
第２延出部８５は、シールドケース６０側に折り曲げられることにより形成される第２延下部８５ａ、８５ａと、シールドケース６０の平坦部と略平行になるように形成され、シールドケース６０に設けられる後述の突起部６１と当接可能に対応した位置に形成される板状部８５ｂとを備える。また、第２延出部８５は、第１延出部８４と同様に略中央部が開口しており、板状部８５ｂが第２延下部８５ａ、８５ａによりいわゆる両端支持されるような形状となっている。このように形成することにより、キーシート４０とシールドケース５０とを組み合わせ、シールドケース６０に設けられる突起部６１に板状部８５ｂが当接した場合に、板状部８５ｂの中央部が撓んで第２延下部８５ａによる弾性力が備わるため、補強フレーム８０とシールドケース６０との電気的導通がより確実になる。
【００６５】
ここで、第２延出部８５ａの幅方向（補強フレーム８０における幅方向と同方向）における長さとしては、シールドケース６０のバネ性との関係により調整は可能であるが、例えば、１．５ｍｍを例示できる。同様に、第２延出部８５の長手方向（補強フレーム８０における長手方向と同方向）における長さとしては、例えば、８．０ｍｍを例示できる。
【００６６】
回路基板７０は板状に形成されており、回路基板７０における第１の面７２には、図示しない各種電子部品及び基準電位パターン層が形成される。そして、回路基板７０における第２の面７３には、各種電子部品が配置される。具体的には、第２の面７３には、図示しないカメラ部２３やライト部２４が連結部４側の端部に偏って配置されると共に、図示しない音声入力部１２が連結部４側の端部に偏って配置される。なお、カメラ部２３やライト部２４は、リアケース２ｂに所定の形状で穿孔されている穿孔部２ｃを介して外部に露出される。
【００６７】
シールドケース６０は、薄型の直方体における一の広い面が開口した形状を有する金属製の部材（例えば、アルミ部材）により構成される。シールドケース６０は、第１の面６２と第２の面６３とを有しており、第１の面６２側にはキースイッチ５１、５２、５３を有するフレキシブルプリント配線基板５０が配置される。また、図７及び図１２に示すように、第１の面６２の側端部には、補強フレーム８０に設けられた第２延出部８５の板状部８５ｂと当接可能な突起部６１が設けられている。突起部６１は、シールドケース６０の第１の面６２の側縁部において、キーシート４０側に突出するように形成されている。操作部側筐体２が組み込まれた状態では、第２延出部８５の板状部８５ｂの長手方向略中央部が突起部６１に当接して上方に湾曲して撓む。図１２は、第２延出部８５の第２延下部８５ａに対応した位置での筐体幅方向における要部拡大断面図である。図１２に示されるように、第２延下部８５ａに対応した板状部８５ｂは突起部６１よりも低く配置されるため、板状部８５ｂの長手方向中央部と突起部６１とを確実に当接させることができる。
【００６８】
また、シールドケース６０の第２の面６３側には、第２の面６３に対して略垂直に形成される不図示のリブが形成されている。ここで、リブは、回路基板７０における第１の面７２に実装される各種電子部品のうち最も高さのある電子部品の高さと同等又はそれよりも十分に高くなるよう形成されているとともに、回路基板７０における第１の面７２に実装される図示しない基準電位パターン層と接触されている。
【００６９】
具体的には、リブは、シールドケース６０における第２の面６３の周縁及び内側に回路基板７０の基準電位パターン層に対応するよう形成される。言い換えると、基準電位パターン層が形成される回路基板７０の第１の面７２と、シールドケース６０における第２の面６３とが向かい合うようにして配置された場合において、リブの底面が基準電位パターン層上に配置されるよう形成されて、シールドケース６０のリブと回路基板７０の基準電位パターン層とが当接されている。
【００７０】
シールドケース６０は、リブ（底面）により、回路基板７０における第１の面７２に形成される基準電位パターン層と導通する。これにより、シールドケース６０は、基準電位部材としての回路基板７０の基準電位パターン層と電気的に導通して同じ大きさの電位を有するようになる。また、シールドケース６０は、外部からのノイズが回路基板７０の第１の面７２に配置される不図示の各種電子部品に作用するのを防ぐと共に、第１の面７２に形成される高周波回路等から放出されるノイズを吸収する。
【００７１】
ここで、シールドケース６０は、後述する各種キーの押圧操作に対する剛性確保のための補強部材としても機能する。また、シールドケース６０は、金属により形成する以外に、骨格を樹脂により形成し、その表面に導電性の導体膜を形成したものでもよい。
【００７２】
フレキシブルプリント配線基板５０は、フロントケース２ａ側の面に複数のキースイッチ５１、５２、５３を有している。フレキシブルプリント配線基板５０のキースイッチ５１、５２、５３は、椀状に湾曲して立体的に形成された金属板のメタルドームを有する構造になっている。なお、フレキシブルプリント配線基板５０は、複数の絶縁フィルムの間に配線を挟み込んだものである。
【００７３】
アンテナ部９０は、基台上に所定形状のアンテナエレメントが配置されることにより構成さる。アンテナ部９０は、携帯電話機１における連結部４側と反対の端部側に配置される。このアンテナ部９０のアンテナエレメントは、帯状の板金により形成される。また、アンテナ部９０は、不図示の給電端子を介して回路基板７０から給電される。これにより、アンテナエレメントは、給電端子を介して回路基板７０から給電されると共に、回路基板７０のＲＦモジュール等と接続される。
【００７４】
バッテリー９０は、リアケース２ｂに形成された開口９２ａを介してバッテリー収容部９２に着脱可能に収容される。バッテリー収容部９２は、リアケース２ｂと回路基板７０における第２の面７３の一部とにより形成される。そして、バッテリー９０が収容された状態において、開口９２ａを塞ぐようにバッテリーリッド２５を配置することで、バッテリー９０の脱落を抑制することができる。そして、バッテリー９０は、収容された状態において回路基板７０と電気的に接続される。
【００７５】
なお、操作キー１５ａは、絶縁材料を金属蒸着させることにより形成する以外に、例えば、絶縁材料の表面にメッキ処理を施してもよく、操作キー１５ａ自体を金属加工により形成してもよい。
【００７６】
また、導電性部材４８は、筐体幅方向の２つの第２嵌装部４４の間に一対設けたが、いずれか一方設ける構成としてもよい。また、導電性部材４８は、金属性塗料をシート４１に塗布又は印刷することにより形成してもよく、金属シートや導電テープなどの導電性部材をシート４１に貼り付けることにより形成してもよい。
【００７７】
また、シート４１は、シリコンゴムにより形成する以外に、例えば、樹脂やゴム等の可撓性を有する絶縁材料を用いて形成してもよい。
【００７８】
また、補強フレーム８０は、例えば、ステンレスやチタン等の強度の高い金属材料により形成することが好ましい。
【００７９】
上述のように、本実施形態にかかる携帯電話機１は、金属蒸着された決定操作キー１５と金属性材料により形成された補強フレーム８０とのそれぞれに接触する導電性部材４８がシート４１の所定の位置に印刷などにより配設されている。これにより、まず、決定操作キー１５を導電性部材４８を介して補強フレーム８０に電気的に導通させることが可能になる。そして、補強フレーム８０は、第１延出部８４及び第２延出部８５によりシールドケース６０と電気的に導通されている。これにより、決定操作キー１５から補強フレーム８０に伝わった静電気等を補強フレーム８０からシールドケース６０に逃がすことが可能になる。ここで、シールドケース６０は、メイン基板である回路基板７０に設けられた基準電位パターン層と接続されている。したがって、本実施形態に係る携帯電話機１によれば、補強フレームから離間して配置される決定操作キー１５に金属蒸着やメッキ処理等の導電処理若しくは金属加工等を施した場合においても、決定操作キー１５に帯電する静電気を基準電位パターン層に電気的に挿通させることが可能となる。
【００８０】
また、補強部材として金属性の補強フレーム８０を使用するため、従来の携帯電話機においてキーシート４０の強度を向上させるために用いられていた樹脂フレーム部材と比較して、薄くても高い強度を発揮することが可能となる。したがって、本実施形態に係る携帯電話機１によれば、キーシートの４０の強度を低下させることなく、その厚みを薄くすることができ、携帯電話機１の薄型化を図ることが可能になる。
【００８１】
また、金属材料からなる補強フレーム８０は、樹脂製の補強フレームと比較して熱等による反り返り等の変形が生じにくいため、フレームレスキー構造を用いた場合においても、キー等が浮いたりずれたりすることを防止することができる。
【００８２】
また、金属蒸着がなされた決定操作キー１５と金属性の補強フレーム８０とを電気的に導通させる金属塗料のような導電性材料をシート４１に印刷や塗装により配設することにより、部品点数を増やすことなく決定操作キー１５と補強フレーム８０との電気的な導通を可能とする。また、シート４１の材料変更やシート４１に特別な加工をする必要がないため、作業工程における作業負担の増加や成形型への影響もない。
【００８３】
さらに、フレームレスキー構造を採用した場合、サブアンテナ部の光漏れ対策として黒色の印刷を施す場合があるが、導電性部材１５はカーボンを多く含み、黒色である場合が多いため、この印刷を光り漏れ対策としても利用することができる。これにより、コストの削減が可能になる。
【００８４】
なお、本実施形態においては、決定操作キー１５に金属蒸着を施しているが、これに限定されず、機能設定操作キー１３や入力操作キー１４に金属蒸着等を施してもよい。その場合においては、機能設定操作キー１３又は入力操作キー１４と補強フレーム８０とのそれぞれに、当接可能になるようにシート４１に導電性部材を印刷してもよい。
【００８５】
また、本実施形態においては、連結部４による折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（リボルバ）式や、操作部側筐体２と表示部側筐体３とが一つの筐体に配置され連結部を有さない型式（ストレートタイプ）でもよい。
【００８６】
次に、図１３（Ａ）及び（Ｂ）により、本発明に係る第２実施形態について説明する。本実施形態に係る携帯電話機１は、第１実施形態に係る携帯電話機１と、キーシート４０における補強フレーム８０とシールドケース６０との導通構造が異なる点で相違し、他の点においては第１実施形態に係る携帯電話機１と同様である。以下、第１実施形態に係る携帯電話機１と相違する点を説明する。なお、以下の実施形態において、特に説明しない部分は、第１実施形態と同様であり、図面に付した番号も第１実施形態と同様である場合は、同じ番号を付している。
【００８７】
図１３（Ａ）は、キーシート４０とシールドケース６０との導通構造における他の実施形態の斜視図を示す。図１３（Ｂ）は、図１３（Ａ）の部分拡大図を示す。
【００８８】
図１３（Ａ）及び図１３（Ｂ）に示すように、第２実施形態に係る携帯電話機１は、補強フレーム８０の一端側に略Ｌ字形に形成された第１延出部８４を有するとともに、補強フレーム８０の他端側には、補強フレーム８０の縁端部から延出する舌延部８６を有する。舌延部８６には、穴部８６ｂが形成されており、舌延部８６の延部には外方へ延びるバネ性を備えたバネ端子８６ａが設けられている。バネ端子８６ａは、シールドケース６０側に折り曲げられており、弾性力を生じた状態で他の部位と当接可能に構成されている。穴部８６ｂは、シート４１と補強フレーム８０とを固定接続させるためのものであり、バネ端子８６ａが後述のシールドケース６０の導通リブ６４とバネ接続した場合において、補強フレーム８０がシート４１から浮き上がることを防止する。
【００８９】
一方、シールドケース６０には、キーシート４０とシールドケース６０とを積層配置した場合に、上述の舌延部８６におけるバネ端子８６ａと対向する位置に凸状に形成される導通リブ６４が設けられている。導通リブ６４は、キーシート４０側に突出しており、これにより、バネ端子８６ａと当接し、バネ端子８６ａは、弾性力を発生させる。
【００９０】
本実施形態によれば、第１実施形態と同様の効果を得ることができる。
【００９１】
また、バネ端子８６ａを有する舌延部８６を用いるため、複雑な構成を設けることなくより確実にグランド部材（基準電位部材）であるシールドケース６０に当接させることが可能になる。さらに、グランド部材であるシールドケース６０に凸状に形成された導通リブ６４を設けることにより、舌延部８６に弾性力を安定的に生じさせることが可能となる。つまり、舌延部８６と導通リブ６４とをより確実に接触させることが可能になる。
【００９２】
また、シールドケース６０の上にバネ端子８６ａを有する舌延部８６が配置されており、このバネ端子８６ａは、シールドケース６０側に折り曲げられているので、例えば、組み立て作業中に作業者が誤ってキーシート４０をシールドケース６０に組み込んだ後、当該部材をぶつける等しても舌延部８６や舌延部８６のバネ端子８６ａを破損させてしまうおそれを防止することができる。
【図面の簡単な説明】
【００９３】
【図１】携帯端末装置としての携帯電話機１を開いた状態（第１開状態）における正面図を示す。
【図２】（Ａ）携帯電話機１を開いた状態における左側面図を示し、（Ｂ）携帯電話機１を開いた状態における右側面図を示す。
【図３】携帯電話機１を開いた状態における背面図を示す。
【図４】携帯電話機１を開いた状態における斜視図を示す。
【図５】図４に示される状態から、携帯電話機１の表示部側筐体３を、連結部４の回動軸Ｙを中心にして所定角度回動した状態の斜視図を示す。
【図６】図４に示される状態から、携帯電話機１の表示部側筐体３を、連結部４の回動軸Ｙを中心にして１８０°回動した状態の斜視図を示す。
【図７】操作部側筐体２の分解斜視図を示す。
【図８】操作部側筐体２におけるキーシート４０の分解斜視図を示す。
【図９】シート部材を裏面側から見た斜視図を示す。
【図１０】キーシート４０の平面図を示す。
【図１１】図１０に示すキーシート４０のＺ−Ｚ断面図を示す。
【図１２】第２延出部８５の第２延下部８５ａに対応した位置での筐体幅方向における要部拡大断面図を示す。
【図１３】（Ａ）キーシート４０とシールドケース６０との電気的な導通構成における他の実施形態を示す斜視図を示し、（Ｂ）図１３（Ａ）の部分拡大図を示す。
【符号の説明】
【００９４】
１    携帯電話機
２    操作部側筐体
３    表示部側筐体
４    連結部
１１    操作キー群
１３    機能設定操作キー
１４    入力操作キー
１５    決定操作キー
４０    キーシート
４５    導電性部材
４６ａ、４６ｂ、４６ｃ    押子
４７ａ、４７ｂ、４７ｃ    リブ
４１    シート
５０    フレキシブルプリント配線基板
６０    シールドケース
７０    回路基板
８０    補強フレーム
【図１】
2008182532.tif 000003
【図２】
2008182532.tif 000004
【図３】
2008182532.tif 000005
【図４】
2008182532.tif 000006
【図５】
2008182532.tif 000007
【図６】
2008182532.tif 000008
【図７】
2008182532.tif 000009
【図８】
2008182532.tif 000010
【図９】
2008182532.tif 000011
【図１０】
2008182532.tif 000012
【図１１】
2008182532.tif 000013
【図１２】
2008182532.tif 000014
【図１３】
2008182532.tif 000015